(57)【要約】【課題】グロメットの円筒状部分のしわの発生を抑えて止水性能を高めた状態でグロメットの円筒状部分の外周面に締結することができるグロメット用結束バンドを提供すること。【解決手段】筒状のロック部１０の筒孔１１が貫通される方向の一端側に筒孔１１に対して平行に延びるように一端が連結されたバンド部２０が該バンド部２０の先端部周辺を筒孔１１内に挿通され、かつ、ロックされることによって環状をなしてグロメット４０の筒状部分４２の外周面４２ａに締結された状態で、バンド部２０と筒状部分４２の外周面４２ａと間の隙間を埋めるように厚みが設定されており、かつ、一端がロック部１０のバンド部２０が連結される側とは逆側の端部に連結された舌片部３０を有する。【選択図】図３
2019015330.tif 000002
【特許請求の範囲】
【請求項１】
筒状のロック部の筒孔が貫通される方向の一端側に前記筒孔に対して平行に延びるように一端が連結されたバンド部が該バンド部の先端部周辺を前記筒孔内に挿通され、かつ、ロックされることによって環状をなしてグロメットの筒状部分の外周面に締結された状態で、
前記バンド部と前記筒状部分の前記外周面と間の隙間を埋めるように厚みが設定されており、かつ、一端が前記ロック部の前記バンド部が連結される側とは逆側の端部に連結された舌片部
を有することを特徴とするグロメット用結束バンド。
【請求項２】
前記舌片部は、
前記外周面に接する面が前記ロック部の前記外周面に接する面と面一になっており、かつ、前記外周面に接する面とは逆側の面が先端から前記ロック部との連結部分まで円弧状の曲面をなし、
当該グロメット用結束バンドが前記外周面に締結された状態で、前記舌片部の前記外周面に接する面が、前記バンド部の前記舌片部の上に重ねられる部分を除いた前記外周面に接する面と、前記ロック部の前記外周面に接する面と合わせて前記外周面に接する円形状の面を形成するようになっている
ことを特徴とする請求項１に記載のグロメット用結束バンド。
【請求項３】
前記舌片部は、
前記筒状部分の前記外周面に接する面とは逆側の面が滑らかな面である
ことを特徴とする請求項１または２に記載のグロメット用結束バンド。
【発明の詳細な説明】
【技術分野】
【０００１】
本発明は、グロメットの筒状部分に締結されるグロメット用結束バンドに関する。
【背景技術】
【０００２】
従来、水の侵入を阻止する壁に貫通孔が形成され、その貫通孔を通してワイヤハーネス等の電線が配索される場合、貫通孔部分からの水の侵入を防ぐため、止水機能をなすグロメットが貫通孔に設置される。
グロメットは、一般的に、壁の貫通孔に嵌め込まれる部分であるフランジ部と、電線を挿通させる孔が連続されるようにフランジ部に一体的に設けられた部分である円筒状部分と、有する。
また、グロメットは、円筒状部分の外周に結束バンドが巻き回された状態で締結され、円筒状部分の筒内面を筒内に挿通された電線に密着させることによって、止水性能を高めている。
【０００３】
例えば、特許文献１および特許文献２には、グロメットに結束バンドを締結することによって止水性を保持するようにした技術が記載されている。
【０００４】
これら特許文献１および２に記載された結束バンド１００は、図５および図６に示すように（なお、図５および図６に示した結束バンドは、特許文献１の結束バンドである。）、共通する構成として、複数の係止歯１１１が長手方向に並んで形成されたバンド部１１０と、バンド部１１０の一端が連結され、被結束物の外周に沿って環状に巻き回した状態でバンド部１１０の端部周辺が挿通される筒孔１２１および筒孔１２１内に係止歯１１１に引っ掛かる係止爪１２２が設けられた筒状のロック部１２０と、を有する。
【先行技術文献】
【特許文献】
【０００５】
【特許文献１】特開２００３−１１１２５３号公報
【特許文献２】特開平９−１９１５３０号公報
【発明の概要】
【発明が解決しようとする課題】
【０００６】
しかしながら、特許文献１に記載された結束バンドは、バンド部の延在方向がロック部の筒孔に対して直交方向に向いているので、図６に示すように、グロメット２００の円筒状部分２１０に締結された場合、ロック部１２０の筒孔１２１周辺でバンド部１１０が大きく屈曲されてバンド部１１０の端部周辺が筒孔１２１内に挿通された状態になっている。このようにバンド部１１０が筒孔１２１周辺で大きく屈曲されると、結束バンド１００とグロメット２００の円筒状部分２１０と間に隙間Ｓが発生し、この隙間Ｓの影響によってグロメット２００の円筒状部分２１０にしわが発生し、結果的に止水性能が低下してしまうという問題があった。
【０００７】
また、特許文献２に記載された結束バンドは、特許文献１に記載された結束バンドとは異なり、バンド部の延在方向がロック部の筒孔に平行になっている。しかしながら、ロック部の筒孔内から引き出されたバンド部の端部周辺は、ロック部に連結されたバンド部の一端部の上方に引き出されるため、ロック部の筒孔周辺では、結束バンドとグロメットの円筒状部分と間に隙間が発生し、この隙間の影響によってグロメットにしわが発生し、結果的に止水性能が低下してしまうという問題があった。
【０００８】
本発明は、上記に鑑みてなされたものであって、グロメットの円筒状部分のしわの発生を抑えて止水性能を高めた状態でグロメットの円筒状部分の外周面に締結することができるグロメット用結束バンドを提供することを目的とする。
【課題を解決するための手段】
【０００９】
上述した課題を解決し、目的を達成するために、本発明の請求項１に係るグロメット用結束バンドは、筒状のロック部の筒孔が貫通される方向の一端側に前記筒孔に対して平行に延びるように一端が連結されたバンド部が該バンド部の先端部周辺を前記筒孔内に挿通され、かつ、ロックされることによって環状をなしてグロメットの筒状部分の外周面に締結された状態で、前記バンド部と前記筒状部分の前記外周面と間の隙間を埋めるように厚みが設定されており、かつ、一端が前記ロック部の前記バンド部が連結される側とは逆側の端部に連結された舌片部を有することを特徴とする。
【００１０】
また、本発明の請求項２に係るグロメット用結束バンドは、上記の発明において、前記舌片部が、前記外周面に接する面が前記ロック部の前記外周面に接する面と面一になっており、かつ、前記外周面に接する面とは逆側の面が先端から前記ロック部との連結部分まで円弧状の曲面をなし、当該グロメット用結束バンドが前記外周面に締結された状態で、前記舌片部の前記外周面に接する面が、前記バンド部の前記舌片部の上に重ねられる部分を除いた前記外周面に接する面と、前記ロック部の前記外周面に接する面と合わせて前記外周面に接する円形状の面を形成するようになっていることを特徴とする。
【００１１】
また、本発明の請求項３に係るグロメット用結束バンドは、上記の発明において、前記舌片部が、前記筒状部分の前記外周面に接する面とは逆側の面が滑らかな面であることを特徴とする。
【発明の効果】
【００１２】
本発明に係るグロメット用結束バンドは、前記グロメットの前記筒状部分の外周面に締結された状態で、前記舌片部が前記バンド部と前記筒状部分の前記外周面と間の隙間を埋めるので、前記隙間に発生する前記筒状部分のしわの発生を防ぐことができ、結果的に、グロメットの円筒状部分のしわの発生を抑えて止水性能を高めた状態でグロメットの円筒状部分の外周面に締結することができる。
【図面の簡単な説明】
【００１３】
【図１】図１は、本発明の実施例に係るグロメット用結束バンドと、グロメット用結束バンドが締結されるグロメットと、を含む止水のための構成を示した図である。
【図２】図２は、本発明の実施例に係るグロメット用結束バンドの斜視図である。
【図３】図３は、グロメット用結束バンドをグロメットの筒状部分の外周面に締結した状態をグロメットの筒状部分を断面視して示した図である。
【図４】図４は、グロメット用結束バンドをグロメットの筒状部分の外周面に締結する手順および舌片部の機能を説明するための図である。
【図５】図５は、従来のグロメット用結束バンドの斜視図である。
【図６】図６は、従来のグロメット用結束バンドの問題点を説明するための図である。
【発明を実施するための形態】
【００１４】
以下、図面を参照して、本発明に係るグロメット用結束バンドの好適な実施例を詳細に説明する。
【実施例】
【００１５】
図１は、本発明の実施例に係るグロメット用結束バンド１と、グロメット用結束バンド１が締結されるグロメット４０と、を含む止水のための構成を示した図である。図２は、本発明の実施例に係るグロメット用結束バンド１の斜視図である。図３は、グロメット用結束バンド１をグロメット４０の筒状部分４２の外周面４２ａに締結した状態をグロメット４０の筒状部分４２を断面視して示した図である。図４は、グロメット用結束バンド１をグロメット４０の筒状部分４２の外周面４２ａに締結する手順および舌片部３０の機能を説明するための図である。
本発明の実施例に係るグロメット用結束バンド１は、例えば、ワイヤハーネスＷＨが車両パネルＰの貫通孔を通して止水可能に車両に配索されるように、車両パネルＰに取り付けられたグロメット４０の円筒状部分４２の外周面４２ａに巻き回した状態で締結するものである。
【００１６】
グロメット４０は、ゴム等の弾性部材からなり、車両パネルＰの貫通孔Ｈに嵌め込まれる部分であるフランジ部４１と、ワイヤハーネスＷＨを挿通させる孔が連続されるようにフランジ部４１に一体的に設けられた部分である円筒状部分４２と、有する。
【００１７】
グロメット用結束バンド１は、ポリプロピレン（ｐｏｌｙｐｒｏｐｙｌｅｎｅ）等の可撓性を有する材料からなり、図２に示すように、筒状のロック部１０と、ロック部１０の筒孔１１が貫通される方向の一端側に筒孔１１に対して平行に延びるように一端が連結されたバンド部２０と、一端がロック部１０のバンド部２０が連結される側とが逆側の端部に連結された舌片部３０と、を有する。
【００１８】
ロック部１０は、略角筒形状をなし、筒孔１１内にバンド部２０の後述する係止歯２２に引っ掛かる係止爪１２が設けられている。
【００１９】
バンド部２０は、帯状のバンド本体部２１の筒状部分４２の外周面４２ａに巻き回される面に複数の係止歯２２がバンド本体部２１の長手方向に並んで形成されている。
このバンド部２０は、先端部周辺がロック部１０の筒孔１１内に挿通され、かつ、ロックされることによって環状をなして筒状部分４２の外周面４２ａに締結される。
より具体的には、バンド部２０は、先端部周辺がロック部１０の筒孔１１内に挿通され、適当な締め付け位置の係止歯２２が筒孔１１内で係止爪１２に引っ掛けられることによって筒状部分４２の外周面４２ａに締結される。
【００２０】
また、バンド本体部２１は、筒状部分４２に巻き回される面がロック部１０の筒状部分４２の外周面４２ａに接触する面と面一になっている。
【００２１】
舌片部３０は、ロック部１０のバンド部２０が連結される側とは逆側の端部から舌片状をなして突出された部分である。
この舌片部３０は、グロメット用結束バンド１が筒状部分４２の外周面４２ａに締結された状態で、バンド部２０と筒状部分４２の外周面４２ａと間の隙間Ｓを埋めるように厚みが設定されている。
すなわち、舌片部３０は、図３に示すように、筒状部分４２が断面円形状を保持した状態で筒状部分４２の外周面４２ａにグロメット用結束バンド１が締結されるように、バンド部２０と筒状部分４２の外周面４２ａと間の隙間Ｓを埋めるように厚みが設定されている。
【００２２】
なお、ロック部１０の筒孔１１から引き出されたバンド部２０の先端部は、ロック部１０に連結された部分よりも上方位置になるように筒孔１１内に挿入されるため、ロック部１０の筒孔１１への挿入口周辺で略円弧状に屈曲されたバンド部２０の下面と筒状部分４２の円形の外周面４２ａとの間に隙間Ｓが発生する。
このため、舌片部３０は、ロック部１０の筒孔１１への挿入口周辺で略円弧状に屈曲されたバンド本体部２１の下面２１ａと筒状部分４２の円形の外周面４２ａとの間の隙間Ｓの形状に対応して厚みが変化されるようになっている。
【００２３】
舌片部３０は、グロメット用結束バンド１が筒状部分４２の外周面４２ａに締結された状態で、筒状部分４２の外周面４２ａに接する面３０ａが、バンド部２０の舌片部３０の上に重ねられる部分を除いた筒状部分４２の外周面４２ａに接する面２０ａと、ロック部１０の筒状部分４２の外周面４２ａに接する面１０ａと合わせて筒状部分４２の外周面４２ａに接する円形状の面を形成するようになっている。
【００２４】
このような舌片部３０は、筒状部分４２の外周面４２ａに接する面３０ａがロック部１０の筒状部分４２の外周面４２ａに接する面１０ａと面一になっており、筒状部分４２の外周面４２ａに接する面３０ａとは逆側の面３０ｂである上面が先端からロック部１０との連結部分まで円弧状の曲面をなすことによって、厚みが変化されるようになっている。
なお、舌片部３０の筒状部分４２の外周面４２ａに接する面３０ａとは逆側の面３０ｂは、凹凸の無い滑らかな面になっている。
【００２５】
ここで、グロメット用結束バンド１をグロメット４０の筒状部分４２の外周面４２ａに締結する手順について説明する。
まず、作業者は、図４（ａ）に示すように、バンド部２０を筒状部分４２の外周面４２ａに沿って巻き回し、バンド部２０の先端部を舌片部３０の上面３０ｂを滑らせながらロック部１０の筒孔１１内に挿入する。
【００２６】
作業者は、図４（ｂ）に示すように、バンド部２０の先端部をロック部１０の筒孔１１からロック部１０によるロック完了位置まで引き出し、グロメット用結束バンド１を筒状部分４２の外周面４２ａに締結完了させる。
バンド部２０の先端部をロック部１０の筒孔１１から引き出し、グロメット用結束バンド１が筒状部分４２に締結開始されると、バンド部２０が舌片部３０の上面３０ｂを滑りながらロック部１０の筒孔１１内に挿入される。このため、バンド部２０と筒状部分４２との摩擦抵抗を小さく抑えることができ、グロメット用結束バンド１をスムーズに筒状部分４２に締結することができる。
また、バンド部２０の先端部をロック部１０の筒孔１１から引き出し、グロメット用結束バンド１が筒状部分４２に締結開始されると、バンド部２０と筒状部分４２の外周面４２ａとの間の隙間Ｓを埋めるように舌片部３０が位置されているため、隙間Ｓの影響によってグロメット４０の筒状部分４２にしわが発生することを防止することができる。
【００２７】
本発明の実施例に係るグロメット用結束バンド１は、グロメット４０の筒状部分４２の外周面４２ａに締結された状態で、舌片部３０がバンド部２０と筒状部分４２の外周面４２ａと間の隙間Ｓを埋めるので、隙間Ｓに発生する筒状部分４０のしわの発生を防ぐことができ、結果的に、グロメット４０の円筒状部分４２のしわの発生を抑えて止水性能を高めた状態でグロメット４０の円筒状部分４２の外周面４２ａに締結することができる。
【００２８】
また、本発明の実施例に係るグロメット用結束バンド１は、筒状部分４２の外周面４２ａに締結された状態で、舌片部３０の外周面４２ａに接する面３０ａが、バンド部２０の舌片部３０の上に重ねられる部分を除いた外周面４２ａに接する面２０ａと、ロック部１０の外周面４２ａに接する面１０ａと合わせて外周面４２ａに接する円形状の面を形成するようになっている。このため、本発明の実施例に係るグロメット用結束バンド１は、筒状部分４２を円形に保持した状態で確実にグロメット４０の円筒状部分４２のしわの発生を抑えて止水性能を高めた状態でグロメット４０の円筒状部分４２の外周面４２ａに締結することができる。
【００２９】
また、本発明の実施例に係るグロメット用結束バンド１は、舌片部３０が、筒状部分４２の外周面４２ａに接する面３０ａとは逆側の面３０ｂが滑らかな面であるので、バンド部２０が舌片部３０を滑りながらロック部１０の筒孔１１内に挿入される。このため、本発明の実施例に係るグロメット用結束バンド１は、バンド部２０と筒状部分４２の外周面４２ａとの間に発生する摩擦抵抗を小さく抑えることができ、グロメット用結束バンド１をスムーズに筒状部分４２の外周面４２ａに締結することができる。
【００３０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００３１】
１              グロメット用結束バンド
１０            ロック部
１０ａ          面
１１            筒孔
１２            係止爪
２０            バンド部
２０ａ          面
２１            バンド本体部
２１ａ          下面
２２            係止歯
３０            舌片部
３０ａ、３０ｂ  面
４０            グロメット
４１            フランジ部
４２            筒状部分
４２ａ          外周面
ＷＨ            ワイヤハーネス
Ｐ              車両パネル
Ｈ              貫通孔
Ｓ              隙間
【図１】
2019015330.tif 000003
【図２】
2019015330.tif 000004
【図３】
2019015330.tif 000005
【図４】
2019015330.tif 000006
【図５】
2019015330.tif 000007
【図６】
2019015330.tif 000008